(57)【要約】【課題】  ＣＭＯＳイメージセンサの裏面側からの光がＣＭＯＳイメージセンサを通過しやすく、ＣＭＯＳイメージセンサの裏面側に光が当たった場合、ＣＭＯＳイメージセンサの撮像面に、ＣＭＯＳイメージセンサの裏面側の文様が写り込む。また、基板とレンズホルダの隙間から光がもれて画質が低下する。【解決手段】  レンズを備えたレンズホルダが基板の一方の面に取り付けられ、この基板の他方の面にＣＭＯＳイメージセンサが取り付けられる。基板に取り付けられたレンズホルダの側面とＣＭＯＳイメージセンサを覆うホルダケースが基板に取り付けられる。【選択図】  図１
2005117122.tif 000002
【特許請求の範囲】
【請求項１】
レンズを備えたレンズホルダが基板の一方の面に取り付けられ、該基板の他方の面にＣＭＯＳイメージセンサが取り付けられたカメラモジュールにおいて、
該基板に取り付けられたレンズホルダの側面と該ＣＭＯＳイメージセンサを覆うホルダケースが該基板に取り付けられたことを特徴とするカメラモジュール。
【請求項２】
前記レンズホルダが基板の一端側に取り付けられ、前記ホルダケースが基板の一端側からスライドさせて該基板に取り付けられた請求項１に記載のカメラモジュール。
【請求項３】
前記レンズホルダの側面に溝が設けられ、該ホルダケースが該溝によって保持された請求項１又は請求項２に記載のカメラモジュール。
【発明の詳細な説明】
【技術分野】
【０００１】
本発明は、レンズを備えたレンズホルダが基板の一方の面に取り付けられ、この基板の他方の面にＣＭＯＳイメージセンサが取り付けられたカメラモジュールに関するものである。
【背景技術】
【０００２】
従来のカメラモジュールに、例えば図５、図６に示す様にレンズ５２を備えたレンズホルダ５３が基板５１の表面に取り付けられ、基板５１の裏面のレンズホルダと対向する位置にＣＭＯＳイメージセンサ５４が取り付けられたものがある（例えば、特許文献１を参照）。この基板５１は、レンズホルダ５３とＣＭＯＳイメージセンサ５４が対向して取り付けられた部分に貫通孔が設けられる。また、この基板５１は、裏面にコネクタ５５が設けられ、このコネクタ５５によってカメラの基板に取り付けられる。
【特許文献１】特開2001-78064号公報
【発明の開示】
【発明が解決しようとする課題】
【０００３】
この様な従来のカメラモジュールは、カメラの小型化に伴ってＣＭＯＳイメージセンサ５４にＣＳＰ（チップサイズパッケージ）タイプやベアチップタイプのものが用いられると共に、ＣＭＯＳイメージセンサ５４のウエハの薄型化が進められている。この様なカメラモジュールにおいては、ＣＭＯＳイメージセンサの裏面側からの光がＣＭＯＳイメージセンサを通過しやすく、ＣＭＯＳイメージセンサの裏面側に光源の明かり等からの光が当たった場合、ＣＭＯＳイメージセンサの撮像面に、ＣＭＯＳイメージセンサの裏面側の文様が写り込むという問題があった。また、基板とレンズホルダの隙間から光源の明かり等の光がＣＭＯＳイメージセンサの撮像面にもれて画質が低下するという問題があった。
【０００４】
本発明は、形状を大きくすることなく、ＣＭＯＳイメージセンサの撮像面にＣＭＯＳイメージセンサの裏面側の文様が写り込んだり、ＣＭＯＳイメージセンサの撮像面に光源の明かり等の光がもれたりすることを防止できるカメラモジュールを提供することを目的とする。
【課題を解決するための手段】
【０００５】
本発明は、レンズを備えたレンズホルダが基板の一方の面に取り付けられ、基板の他方の面にＣＭＯＳイメージセンサが取り付けられたカメラモジュールにおいて、基板に取り付けられたレンズホルダの側面とＣＭＯＳイメージセンサを覆うホルダケースが基板に取り付けられる。このレンズホルダは、基板の一端側に取り付けられる。また、ホルダケースは、基板の一端側からスライドさせて基板に取り付けられる。
【発明の効果】
【０００６】
本発明のカメラモジュールは、一方の面にレンズを備えたレンズホルダが、他方の面にＣＭＯＳイメージセンサが取り付けられた基板に、レンズホルダの側面とＣＭＯＳイメージセンサを覆うホルダケースが取り付けられるので、このホルダケースによって光源の明かり等の光を遮光することができる。従って、本発明のカメラモジュールは、形状を大きくすることなく、ＣＭＯＳイメージセンサの撮像面にＣＭＯＳイメージセンサの裏面側の文様が写り込むのを防止することができ、撮像画面に不要な写りこみをなくすことができる。また、ＣＭＯＳイメージセンサの撮像面に光源の明かり等の光がもれたりすることがないので、黒レベルの精度が上がり、ダイナミックレンジが広がってコントラストの利いた画像を得ることができる。
【発明を実施するための最良の形態】
【０００７】
本発明のカメラモジュールは、レンズを備えたレンズホルダが基板の表面に取り付けられ、この基板の裏面にＣＭＯＳイメージセンサが取り付けられる。この時、レンズを備えたレンズホルダは基板の一端側に取り付けられる。この基板には、表面に取り付けられたレンズホルダの３つの側面と、裏面に取り付けられたＣＭＯＳイメージセンサを覆うホルダケースが基板の一端側からスライドさせることにより取り付けられる。
従って、本発明のカメラモジュールは、基板とレンズホルダの隙間をホルダケースによって３方向から覆うことができると共に、基板の裏面側のＣＭＯＳイメージセンサの裏面をホルダケースによって覆うことができる。また、本発明のカメラモジュールは、基板の一端側からホルダケースをスライドさせることによりホルダケースを基板に取り付けることができるので、ホルダケースを基板に取り付ける作業が容易で、組み立て工数を少なくできる。
【実施例】
【０００８】
以下、本発明のカメラモジュールの実施例を図１乃至図４を参照して説明する。
図１は本発明のカメラモジュールの実施例を示す部分断面図、図２は本発明のカメラモジュールの実施例の上面図である。
図１、図２において、１１は基板、１２はレンズ、１３はレンズホルダ、１４はＣＭＯＳイメージセンサである。
基板１１には、長さ方向の一端側に貫通孔と４つの位置決め用孔が設けられる。
この基板１１の表面には、長さ方向の一端側にレンズホルダ１３が取り付けられる。レンズホルダ１３は、本体と、この本体の表面から突出した円筒部分と、本体の底面に設けられた４つの脚部を備える。レンズホルダ１３の円筒部分は、内部にレンズ１２が上下動可能に取り付けられる。また、レンズホルダ１３の４つの脚部は、本体の底面の４隅に設けられる。このレンズホルダ１３は、円筒部分が基板１１の貫通孔と対向する様に配置され、４つの脚部が基板１１に設けられた位置決め用孔に挿入されて固定される。
基板１１の裏面には、基板１１の一端側のレンズホルダの円筒部分と対向する位置に、基板１１の貫通孔を塞ぐ様にＣＭＯＳイメージセンサ１４が取り付けられる。このＣＭＯＳイメージセンサ１４は、ベアチップタイプのものが用いられ、撮像面をレンズホルダ側に向けた状態で基板１１に実装される。また、この基板１１の裏面の他端側には、コネクタ１５が設けられる。
このレンズホルダ１３とＣＭＯＳイメージセンサ１４が取り付けられた基板の一端側には、ホルダケース１６が取り付けられる。ホルダケース１６は、例えば金属を用いて、基板１１の裏面のＣＭＯＳイメージセンサ１４と、基板１１の表面のレンズホルダ１３の本体の側面を覆える高さを有し、かつ、基板の一端側からレンズホルダ１３を完全に覆うことのできる長さを有する大きさに形成される。このホルダケース１６の上面には、長さ方向に沿ってレンズホルダの円筒部分を挿入するための切り込みが設けられる。
そして、このホルダケース１６は、切り込みにレンズホルダの円筒部分を挿入した状態で基板の一端側からケース１６の長さ方向の側面とレンズホルダ１３の本体の長さ方向の側面が接触するまでスライドさせることにより基板１１に取り付けられる。
【０００９】
この様に形成されたカメラモジュールは、コネクタ１５がカメラの基板上に設けられたコネクタに接続されることによりカメラの基板に取り付けられる。
以上、本発明のカメラモジュールの実施例を述べたが、本発明はこの実施例に限られるものではない。例えば、ホルダケースは、金属のものを説明したが、光を透過しないものであればよく、様々な材質のもので形成することができる。また、レンズホルダ１３は、図３、図４に示す様に、円筒部分の側面に溝Ｍを設け、ホルダケース１６の上面を挟持する様にしてもよい。この様にレンズホルダ１３の溝Ｍによってホルダケース１６を保持することによりホルダケース１６が基板の厚み方向に動かないように固定することができる。
【図面の簡単な説明】
【００１０】
【図１】本発明のカメラモジュールの実施例を示す部分断面図である。
【図２】本発明のカメラモジュールの実施例の上面図である。
【図３】本発明のカメラモジュールの別の実施例を示す部分断面図である。
【図４】本発明のカメラモジュールの別の実施例の上面図である。
【図５】従来のカメラモジュールの側面図である。
【図６】従来のカメラモジュールの上面図である。
【符号の説明】
【００１１】
１１  基板
１２  レンズ
１３  レンズホルダ
１４  ＣＭＯＳイメージセンサ
【図１】
2005117122.tif 000003
【図２】
2005117122.tif 000004
【図３】
2005117122.tif 000005
【図４】
2005117122.tif 000006
【図５】
2005117122.tif 000007
【図６】
2005117122.tif 000008